(57)【特許請求の範囲】
【請求項１】
一枚のほぼ四角形状の段ボールシートの基材は、前記基材の中央部に設けた四角形の面板部と、前記の面板部の各辺より前記基材の外縁に至る切れ目により前記面板部の四隅部につらなり、かつ、直角２辺にわたる４つの折り曲げ基板と、前記各折り曲げ基板に設けた切れ目とミシン目と複数の折り罫線と折り曲げを助成する抜き穴とを有し、前記折り曲げ基板の折り罫線を順次折り曲げて積層段ボールよりなる直角壁緩衝部を、前記面板部の四隅部の直角２辺にわたり形成して構成されたことを特徴とする緩衝包装体。
【発明の詳細な説明】
【０００１】
【発明の属する技術分野】
本発明は、電子機器等を梱包する際に使用する緩衝体、特に段ボールより構成される緩衝体に関する。
【０００２】
【従来の技術】
近年、パソコン、プリンター、ディスプレイなどの重量物のＯＡ機器商品等は、輸送や保管中に受ける衝撃を軽減して商品を保護するために、発泡スチロール、発泡ポリエチレン、発泡ポリプロピレン等、緩衝効果を有する発泡プラスチック緩衝体を用いて包装されている。特に重量物のレーザープリンター等においては、包装箱を上下に分割して包装、開梱性の容易化を図っている。さらに商品の底面の緩衝のために、包装箱の底面に発泡スチロールや高価な発泡ポリエチレン、発泡ポリプロピレン等の発泡プラスチック緩衝体を使用していた。
【０００３】
図１１は従来のＯＡ機器の包装状態の斜視図であり、電子機器１１は、その上下部に発泡プラスチックよりなる緩衝体１２〜１４を当接し、そして、段ボールよりなる底面包装容器１５に収納される包装形態となっていた。
【０００４】
【発明が解決しようとする課題】
しかしながら、上記従来の包装形態では、ＯＡ機器の輸送後に開梱したあとで発泡プラスチックよりなる緩衝体１２〜１４が不要となり、廃棄されて焼却または埋立てられるので、不燃物である発泡プラスチックよりなる緩衝体の処理にかかる費用が増大し、さらには、焼却による空気の汚染や埋立による環境破壊の要因となるという問題点を有していた。
【０００５】
本発明は上記従来の問題点を解決するもので、一枚の段ボールシートより形成され、処理に困難を伴う発泡プラスチック緩衝材を用いなくても十分に緩衝機能を有し、しかもリサイクルの容易な緩衝包装体を提供することを目的とする。
【０００６】
【課題を解決するための手段】
この目的を達成するために本発明は、一枚のほぼ四角形状の段ボールシートを基材とした緩衝包装体であって、段ボールシート基材の中央部に四角形の面板部を設け、段ボールシート基材における前記四角形の面板部を基準としてその回りに４っの切れ目を形成し、この切れ目により前記四角形の面板部の各四隅部につらなり、かつ、各四隅部の直角２辺にわたる４っの折り曲げ基板を形成し、前記各折り曲げ基板には切れ目とミシン目と複数の折り罫線と抜き穴を設けておき、前記折り罫線を順次折り曲げて、積層段ボールよりなる直角壁緩衝部を前記面板部の各四隅部の直角２辺にわたり形成した構成とする。
【０００７】
本発明によれば、処理に手間のかかる発泡プラスチック緩衝体を使用しないことから、安価で、しかもリサイクル可能な緩衝体とすることができる。もちろん包装した内容物の輸送、保管時の衝撃を十分に吸収でき、かつ、ＯＡ機器の輸送後に開梱したあとではリサイクルされて、さらに別の包装用段ボールとして使用できる。また、切れ目、ミシン目、折り罫線、抜き穴の本数および寸法を変更することにより、包装内容物の製品強度や重量に応じて、包装内容物にかかる衝撃吸収性能を変化させることが可能である。
【０００８】
【発明の実施の形態】
本発明の請求項１に記載の発明は、一枚のほぼ四角形状の段ボールシートの基材は、前記基材の中央部に設けた四角形の面板部と、前記の面板部の各辺より前記基材の外縁に至る切れ目により前記面板部の四隅部につらなり、かつ、直角２辺にわたる４つの折り曲げ基板と、前記各折り曲げ基板に設けた切れ目とミシン目と複数の折り罫線と折り曲げを助成する抜き穴とを有し、前記折り曲げ基板の前記折り罫線を順次折り曲げて積層段ボールよりなる直角壁緩衝部を、前記面板部の四隅部の直角２辺にわたり形成して構成された緩衝包装体であり、処理に手間のかかる発泡プラスチック材の使用量を削減し、安価で、しかもリサイクルの可能な緩衝包装体を実現するという作用を有する。
【０００９】
以下、本発明の実施の形態について、図面を参照して説明する。
（実施の形態１）
図１０において、１はＯＡ機器等の被包装体、２は段ボールよりなり、かつ、箱状に形成された天面緩衝包装体、３は同じく段ボールよりなり、かつ、箱状に形成された底面緩衝包装体（天面緩衝包装体２と同一構成）、４は同じく段ボールよりなる底面包装容器であり、前記被包装体１の上下部に天面緩衝包装体２と底面緩衝包装体３を嵌め合わせ、その下部を底面包装容器４に嵌め合わせて緩衝包装される。
【００１０】
前記天面および底面の緩衝包装体２、３を詳細に説明すると、この緩衝包装体は図１の展開図および図２の斜視図に示すように、ほぼ矩形状をした一枚の段ボールシートを基材とし、その四隅部を折り曲げできるように切れ目、ミシン目、複数の折り罫線、抜き穴を形成し、前記四隅部を折り曲げて構成される。
【００１１】
さらに詳しく説明すると、前記ほぼ矩形状をした一枚の段ボールシート５には、中央の矩形面板部６を基準にして、その各辺の中央部より直角に伸びて外縁に至る４つの切り目７ａ、７ｂ、７ｃ、７ｄを設け、これにより中央の矩形面板部６の四隅部に連なり、かつ、矩形面板部６の直角２辺にわたる４つの折り曲げ基板８ａ、８ｂ、８ｃ、８ｄを形成している。
【００１２】
以下、１つの折り曲げ基板８ａについて、その直角壁緩衝部の組立てを順に説明する。
【００１３】
図１および図２に示すように、前記折り曲げ基板８ａには、前記切り目７ａと平行で、かつ、外縁より切り目７ａの約半分長さの切り目９ａを施している。また、折り曲げ基板８ａには、以降に述べるミシン目１０、複数の折り罫線１１〜１１ｉ、複数の抜き穴１２ａ〜１２ｅを形成している。
【００１４】
まず、抜き穴１２ａと切り目７ｂで区画されるフラップＡを、図３に示すように上方に垂直に立てる。
【００１５】
つぎに、フラップＡを図４に示すように中央の折り罫線１１ａに沿って二つ折りする。
【００１６】
つぎに、前記二つ折りしたフラップＡを図５に示すように横に倒し、さらに、フラップＡを折り罫線１１ｂ、１１ｃに沿って折り曲げ、一部が矩形面板部６の下側に潜りこむようにする。
【００１７】
つぎに、二つ折りしたフラップＡの側部に位置する斜めのミシン目１０を図６に示すように谷折りにしながら、かつ、折り罫線１１ｄ、１１ｅ、１１ｆにそって曲げて矩形面板部６の直角２辺に壁Ｂ、Ｃとして立ち上げる。
【００１８】
つぎに、前記立ち上げた壁Ｂ、Ｃのうちの一つの壁Ｂを、図７に示すように折り罫線１１ｇに沿って直角方向に曲げる。
【００１９】
つぎに、立ち上げた壁Ｂ、Ｃを図８に示すようにさらに折り罫線１１ｈ、１１ｉに沿って内側に折り曲げて、矩形面板部６のコーナー部の２辺にわたる一つの直角壁緩衝部Ｄを完成させる。
【００２０】
なお、前記折り曲げを助成するために、折り曲げ基板８ａには抜き穴１２ａ〜１２ｅを形成している。
【００２１】
図９は各折り曲げ基板８ａ、８ｂ、８ｃ、８ｄを前記のように折り曲げて、矩形面板部６の４コーナー全てに直角壁緩衝部Ｄを完成させた状態を示している。
【００２２】
なお、図１０に示す底面緩衝包装体は前記の天面緩衝包装体と同一構成であるので、その説明は省略する。
【００２３】
この実施の形態１の緩衝包装体は、直角壁緩衝部Ｄが段ボールを順次折り込んで積層して構成されているので十分な緩衝機能と包装強度をもち、しかも、一枚の段ボールシートより構成できるので、従来のように処理が困難な発泡プラスチックを使用せずに済むこととなる。
【００２４】
【発明の効果】
以上の説明から明らかなように、本発明による緩衝包装体は、段ボールシート一枚から形成されており、構造がきわめて簡単であって、コストダウンを図れる。
【００２５】
また、接着剤やテープ、ステープルなどの固定手段は不要であり、使用前は平板状であるので運搬、保管場所等にも有利である。さらにＯＡ機器等の輸送のあとでは緩衝包装体のリサイクルが可能であるので実用上きわめて有利である。
【図面の簡単な説明】
【図１】本発明の実施の形態１の緩衝包装体の展開図
【図２】同緩衝包装体の展開状態の斜視図
【図３】同緩衝包装体の折り曲げ工程の斜視図
【図４】同緩衝包装体の折り曲げ工程の斜視図
【図５】同緩衝包装体の折り曲げ工程の斜視図
【図６】同緩衝包装体の折り曲げ工程の斜視図
【図７】同緩衝包装体の折り曲げ工程の斜視図
【図８】同緩衝包装体の折り曲げ工程の斜視図
【図９】同折り曲げ完成した緩衝包装体の斜視図
【図１０】同緩衝包装体を用いたＯＡ機器の包装状態の斜視図
【図１１】従来のＯＡ機器の包装状態の斜視図
【符号の説明】
１  被包装体
２  天面緩衝包装体
３  底面緩衝包装体
４  底面包装容器
５  段ボールシート
６  矩形面板部
７ａ〜７ｄ  切り目
８ａ〜８ｄ  折り曲げ基板
９ａ  切り目
１０  ミシン目
１１ａ〜１１ｉ  折り罫線
１２ａ〜１２ｅ  抜き穴
Ａ  フラップ
Ｂ  壁
Ｃ  壁
Ｄ  直角壁緩衝部
【図１】
0004042199.tif 000002
【図２】
0004042199.tif 000003
【図３】
0004042199.tif 000004
【図４】
0004042199.tif 000005
【図５】
0004042199.tif 000006
【図６】
0004042199.tif 000007
【図７】
0004042199.tif 000008
【図８】
0004042199.tif 000009
【図９】
0004042199.tif 000010
【図１０】
0004042199.tif 000011
【図１１】
0004042199.tif 000012